(57)【要約】【課題】  小型で、通過帯域を広げることが出来るアンテナ共用器を提供する。【解決手段】  本発明のアンテナ共用器は、第１，第２の表面弾性波フィルタ１１，１６を備え、第１の圧電基板１２に設けられた第１の表面弾性波フィルタ１１の一つの第１の電極部１４ａは、もう一つの第２の表面弾性波フィルタ１６の第２の圧電基板１７の背面に設けられた中継電極部２１を介して第１の端子４ｃにワイヤ２４によって接続されたため、ワイヤ２４を長くできて、通過帯域を広げることが出来ると共に、ワイヤ２４は、パッケージ１内の空間部内で配線できて、スペースファクタが良く、小型化が図れる。【選択図】        図２
2006270570.tif 000002
【特許請求の範囲】
【請求項１】
箱形のパッケージと、このパッケージ内に設けられた複数の第１，第２の端子と、前記パッケージ内に互いに隣接した状態で収納され、前記第１の端子に接続されたＬ型、又は梯子型の第１の表面弾性波フィルタ、及び前記第２の端子に接続された第２の表面弾性波フィルタとを備え、前記第１の表面弾性波フィルタは、第１の圧電基板の一面に形成され、２つで対をなす複数対の第１の櫛歯電極、及びこれ等の第１の櫛歯電極に接続された第１の電極部を有し、前記第２の表面弾性波フィルタは、前記第１の圧電基板と別体の第２の圧電基板の一面に形成され、２つで対をなす複数対の第２の櫛歯電極、及びこれ等の第２の櫛歯電極に接続された第２の電極部と、前記第２の櫛歯電極を設けた前記第２の圧電基板の前記一面と反対側の前記第２の圧電基板の背面に設けられた中継電極部を有し、前記第１の圧電基板は、前記第１の櫛歯電極を設けた前記一面側を上にした状態で、前記第１の圧電基板の背面側が前記パッケージの底壁内に固着されると共に、前記第２の圧電基板は、前記背面側を上にした状態で、前記一面側に設けられた前記第２の櫛歯電極が前記底壁に対向して配置され、前記第２の櫛歯電極の前記第２の電極部のそれぞれは、前記底壁との間に振動空隙を設けた状態で、前記底壁に設けられたそれぞれの前記第２の端子に接続され、前記第１の櫛歯電極の一つの前記第１の電極部は、前記第１の電極部と前記中継電極部間、及び前記中継電極部と前記第１の端子間が前記ワイヤによる接続によって前記第１の端子に導出されて、通過帯域を広げると共に、その他の前記第１の電極部は、ワイヤを介して前記第１の端子に接続されたことを特徴とするアンテナ共用器。
【請求項２】
前記第１の端子は、入力用端子と出力用端子、及び接地用端子を有すると共に、前記第１の電極部は、入力電極部と出力電極部、及び接地電極部を有し、前記接地電極部は、この接地電極部と前記中継電極部間、及び前記中継電極部と前記第１の端子間が前記ワイヤによる接続によって前記第１の端子に導出されて、通過帯域を広げたことを特徴とする請求項１記載のアンテナ共用器。
【請求項３】
梯子型の前記第１の表面弾性波フィルタを有し、前記接地電極部は、互いに離れた位置に２個設けられ、一方の前記接地電極部と前記中継電極部間、前記中継電極部と他方の前記接地電極部間、及び前記他方の接地電極部と前記第１の端子間が前記ワイヤを介して接続されて、通過帯域を広げたことを特徴とする請求項２記載のアンテナ共用器。
【請求項４】
前記パッケージは、底壁、及び上部に開口部を設けた側壁を有した箱形のケースと、このケースの前記開放部を塞ぐ蓋体とで構成され、前記ケース内には、前記底壁から前記開口部方向に突出した凸部と、この凸部の上面に設けられた前記第１の端子を有し、前記ケース内の前記底壁には、前記第１，第２の表面弾性波フィルタが取り付けられると共に、前記第１の表面弾性波フィルタが前記ワイヤを介して前記第１の端子に接続されたことを特徴とする請求項１から３の何れかに記載のアンテナ共用器。
【請求項５】
前記第１，第２の表面弾性波フィルタは、互いに重ならない隣接した通過帯域に使用され、前記第１の表面弾性波フィルタの前記通過帯域が前記第２の表面弾性波フィルタの前記通過帯域よりも低い周波数にしたことを特徴とする請求項１から４の何れかに記載のアンテナ共用器。
【請求項６】
前記第１の表面弾性波フィルタが送信用に使用されると共に、前記第２の表面弾性波フィルタが受信用に使用されることを特徴とする請求項５記載のアンテナ共用器。
【発明の詳細な説明】
【技術分野】
【０００１】
本発明は携帯電話機等に使用して好適なアンテナ共用器に関する。
【背景技術】
【０００２】
図１０，図１１は何れも従来の表面弾性波ディバイスを示す平面図であり、次に、図１０に示す従来の表面弾性波ディバイスの構成を説明すると、平板状の１枚の圧電基板５１の一面には、２つで対をなす２対の櫛歯電極５２，５３と、この櫛歯電極５２，５３にそれぞれ接続された電極部５４，５５と、複数個の中継電極部５６が設けられている。
【０００３】
また、電極部５４，５５は、ワイヤ５７によって中継電極部５６に接続されると共に、ワイヤ５７が中継電極部５６を介して外部に接続されるようになって、従来の表面弾性波ディバイスが形成されている。（例えば、特許文献１参照）
【０００４】
次に、図１１に示す従来の表面弾性波ディバイスの構成を説明すると、平板状の１枚の圧電基板５１の一面には、２つで対をなす２対の櫛歯電極５２，５３と、この櫛歯電極５２，５３にそれぞれ接続された電極部５４，５５が設けられている。
【０００５】
また、この圧電基板５１は、上面に複数個の中継電極部５６が形成された箱形のケース５８内に収納され、電極部５４，５５は、ワイヤ５７によって中継電極部５６に接続されると共に、ワイヤ５７が中継電極部５６を介して外部に接続されるようになって、従来の表面弾性波ディバイスが形成されている。（例えば、特許文献１参照）
【０００６】
【特許文献１】特許第３２５３３３３号公報
【発明の開示】
【発明が解決しようとする課題】
【０００７】
従来の表面弾性波ディバイスにおける前者（図１０）のものは、中継電極部５６が圧電基板５１に形成されているため、小型化が図れる反面、狭小な場所でワイヤ５７が接続されるため、ワイヤ５７が短くなって、通過帯域を広げることが出来ず、また、従来の表面弾性波ディバイスにおける後者（図１１）のものは、中継電極部５６がケース５８の上面に形成されているため、ワイヤ５７を長くできて、通過帯域を広げることが出来る反面、中継電極部５６を形成するためのスペースが大きくなって、ケース２８が大型になるという問題がある。
【０００８】
そこで、本発明は小型で、通過帯域を広げることが出来るアンテナ共用器を提供することを目的とする。
【課題を解決するための手段】
【０００９】
上記課題を解決するための第１の解決手段として、箱形のパッケージと、このパッケージ内に設けられた複数の第１，第２の端子と、前記パッケージ内に互いに隣接した状態で収納され、前記第１の端子のそれぞれに接続されたＬ型、又は梯子型の第１の表面弾性波フィルタ、及び前記第２の端子に接続された第２の表面弾性波フィルタとを備え、前記第１の表面弾性波フィルタは、第１の圧電基板の一面に形成され、２つで対をなす複数対の第１の櫛歯電極、及びこれ等の第１の櫛歯電極に接続された第１の電極部を有し、前記第２の表面弾性波フィルタは、前記第１の圧電基板と別体の第２の圧電基板の一面に形成され、２つで対をなす複数対の第２の櫛歯電極、及びこれ等の第２の櫛歯電極に接続された第２の電極部と、前記第２の櫛歯電極を設けた前記第２の圧電基板の前記一面と反対側の前記第２の圧電基板の背面に設けられた中継電極部を有し、前記第１の圧電基板は、前記第１の櫛歯電極を設けた前記一面側を上にした状態で、前記第１の圧電基板の背面側が前記パッケージの底壁内に固着されると共に、前記第２の圧電基板は、前記背面側を上にした状態で、前記一面側に設けられた前記第２の櫛歯電極が前記底壁に対向して配置され、前記第２の櫛歯電極の前記第２の電極部のそれぞれは、前記底壁との間に振動空隙を設けた状態で、前記底壁に設けられたそれぞれの前記第２の端子に接続され、前記第１の櫛歯電極の一つの前記第１の電極部は、前記第１の電極部と前記中継電極部間、及び前記中継電極部と前記第１の端子間が前記ワイヤによる接続によって前記第１の端子に導出されて、通過帯域を広げると共に、その他の前記第１の電極部は、ワイヤを介して前記第１の端子に接続された構成とした。
【００１０】
また、第２の解決手段として、前記第１の端子は、入力用端子と出力用端子、及び接地用端子を有すると共に、前記第１の電極部は、入力電極部と出力電極部、及び接地電極部を有し、前記接地電極部は、この接地電極部と前記中継電極部間、及び前記中継電極部と前記第１の端子間が前記ワイヤによる接続によって前記第１の端子に導出されて、通過帯域を広げた構成とした。
【００１１】
また、第３の解決手段として、梯子型の前記第１の表面弾性波フィルタを有し、前記接地電極部は、互いに離れた位置に２個設けられ、一方の前記接地電極部と前記中継電極部間、前記中継電極部と他方の前記接地電極部間、及び前記他方の接地電極部と前記第１の端子間が前記ワイヤを介して接続されて、通過帯域を広げた構成とした。
【００１２】
また、第４の解決手段として、前記パッケージは、底壁、及び上部に開口部を設けた側壁を有した箱形のケースと、このケースの前記開放部を塞ぐ蓋体とで構成され、前記ケース内には、前記底壁から前記開口部方向に突出した凸部と、この凸部の上面に設けられた前記第１の端子を有し、前記ケース内の前記底壁には、前記第１，第２の表面弾性波フィルタが取り付けられると共に、前記第１の表面弾性波フィルタが前記ワイヤを介して前記第１の端子に接続された構成とした。
【００１３】
また、第５の解決手段として、前記第１，第２の表面弾性波フィルタは、互いに重ならない隣接した通過帯域に使用され、前記第１の表面弾性波フィルタの前記通過帯域が前記第２の表面弾性波フィルタの前記通過帯域よりも低い周波数にした構成とした。
また、第６の解決手段として、前記第１の表面弾性波フィルタが送信用に使用されると共に、前記第２の表面弾性波フィルタが受信用に使用される構成とした。
【発明の効果】
【００１４】
本発明のアンテナ共用器は、箱形のパッケージと、このパッケージ内に設けられた複数の第１，第２の端子と、パッケージ内に互いに隣接した状態で収納され、第１の端子のそれぞれに接続されたＬ型、又は梯子型の第１の表面弾性波フィルタ、及び第２の端子に接続された第２の表面弾性波フィルタとを備え、第１の表面弾性波フィルタは、第１の圧電基板の一面に形成され、２つで対をなす複数対の第１の櫛歯電極、及びこれ等の第１の櫛歯電極に接続された第１の電極部を有し、第２の表面弾性波フィルタは、第１の圧電基板と別体の第２の圧電基板の一面に形成され、２つで対をなす複数対の第２の櫛歯電極、及びこれ等の第２の櫛歯電極に接続された第２の電極部と、第２の櫛歯電極を設けた第２の圧電基板の一面と反対側の第２の圧電基板の背面に設けられた中継電極部を有し、第１の圧電基板は、第１の櫛歯電極を設けた一面側を上にした状態で、第１の圧電基板の背面側が前記パッケージの底壁内に固着されると共に、第２の圧電基板は、背面側を上にした状態で、一面側に設けられた第２の櫛歯電極が底壁に対向して配置され、第２の櫛歯電極の第２の電極部のそれぞれは、底壁との間に振動空隙を設けた状態で、底壁に設けられたそれぞれの第２の端子に接続され、第１の櫛歯電極の一つの第１の電極部は、第１の電極部と中継電極部間、及び中継電極部と第１の端子間がワイヤによる接続によって第１の端子に導出されて、通過帯域を広げると共に、その他の第１の電極部は、ワイヤを介して第１の端子に接続された構成とした。
即ち、第１の表面弾性波フィルタの一つの第１の電極部は、もう一つの第２の表面弾性波フィルタの第２の圧電基板の背面に設けられた中継電極部を介して第１の端子にワイヤによって接続されたため、ワイヤを長くできて、通過帯域を広げることが出来ると共に、ワイヤは、パッケージ内の空間部内で配線できて、スペースファクタが良く、小型化が図れる。
【００１５】
また、第１の端子は、入力用端子と出力用端子、及び接地用端子を有すると共に、第１の電極部は、入力電極部と出力電極部、及び接地電極部を有し、接地電極部は、この接地電極部と中継電極部間、及び中継電極部と第１の端子間がワイヤによる接続によって第１の端子に導出されて、通過帯域を広げたため、入力用端子と出力用端子のワイヤを長くすることなく、効果的に通過帯域を広げることが出来る。
【００１６】
また、梯子型の第１の表面弾性波フィルタを有し、接地電極部は、互いに離れた位置に２個設けられ、一方の接地電極部と中継電極部間、中継電極部と他方の接地電極部間、及び他方の接地電極部と第１の端子間がワイヤを介して接続されて、通過帯域を広げたため、梯子型の第１の表面弾性波フィルタにおいて、接地電極部側のワイヤを充分に長くできて、効果的に通過帯域を広げることが出来る。
【００１７】
また、パッケージは、底壁、及び上部に開口部を設けた側壁を有した箱形のケースと、このケースの開放部を塞ぐ蓋体とで構成され、ケース内には、底壁から開口部方向に突出した凸部と、この凸部の上面に設けられた第１の端子を有し、ケース内の底壁には、第１，第２の表面弾性波フィルタが取り付けられると共に、第１の表面弾性波フィルタがワイヤを介して第１の端子に接続されたため、ワイヤをボンディングするための第１の端子は、第１の電極部と同等の高さに設定できて、作業性の良好なものが得られる。
【００１８】
また、第１，第２の表面弾性波フィルタは、互いに重ならない隣接した通過帯域に使用され、第１の表面弾性波フィルタの通過帯域が第２の表面弾性波フィルタの通過帯域よりも低い周波数にしたため、通過帯域の下限側の周波数特性カーブを緩やかに出来て、低い周波数に使用して好適なものが得られる。
【００１９】
また、第１の表面弾性波フィルタが送信用に使用されると共に、第２の表面弾性波フィルタが受信用に使用されるため、送信側の通過帯域が広くなって好適でる。
【発明を実施するための最良の形態】
【００２０】
本発明のアンテナ共用器の図面を説明すると、図１は本発明のアンテナ共用器の第１実施例に係る要部断面図、図２は本発明のアンテナ共用器の第１実施例に係り、蓋体を取り去った状態の平面図、図３は本発明のアンテナ共用器の第１実施例に係るケースの平面図、図４は本発明のアンテナ共用器の第１実施例に係る表面弾性波フィルタの平面図、図５は本発明のアンテナ共用器の第１実施例に係る第１の表面弾性波フィルタの等価回路図である。
【００２１】
また、図６は本発明のアンテナ共用器の第２実施例に係り、蓋体を取り去った状態の平面図、図７は本発明のアンテナ共用器の第２実施例に係るケースの平面図、図８は本発明のアンテナ共用器の第２実施例に係る表面弾性波フィルタの平面図、図９は本発明のアンテナ共用器の第２実施例に係る第１の表面弾性波フィルタの等価回路図である。
【００２２】
次に、本発明のアンテナ共用器の第１実施例に係る構成を図１〜図５に基づいて説明すると、箱形のパッケージ１は、セラミック材等からなる絶縁基板の積層によって形成された箱形のケース２と、このケース２に取り付けられ、金属板等からなる蓋体３とで構成されている。
【００２３】
箱形のケース２は、四角形の底壁２ａと、この底壁２ａの周囲から上方に延びる４つの側壁２ｂと、底壁２ａと側壁２ｂとで囲まれた収納部２ｃと、この収納部２ｃの上部に設けられた開口部２ｄと、収納部２ｃ内の底壁２ａから開口部２ｄ方向に突出する凸部２ｅと、底壁２ａから段差を持って形成され、凸部２ｅの上部に位置する上面部２ｆを有し、このケース２の上部には、開口部２ｄを塞ぐように蓋体３が接着されて、収納部２ｃが密封された状態となっている。
【００２４】
また、ケース２には、凸部２ｅの上面部２ｆに設けられた複数の第１の端子部４と、収納部２２ｃ内の底壁２ａに設けられた複数の第２の端子５と、第１の端子４に対向した状態で、底壁２ａの下面に設けられた複数の第１の引出端子６と、第２の端子５に対向した状態で、底壁２ａの下面に設けられた複数の第２の引出端子７と、第１の端子４と第１の引出端子６間のそれぞれを接続する複数の第１の接続導体（スルーホール）８と、第２の端子５と第２の引出端子７間のそれぞれを接続する複数の第２の接続導体（スルーホール）９を有する。
【００２５】
そして、第１の端子４は、一端側に位置する入力用端子４ａと、この入力用端子４ａの隣に設けられた出力用端子４ｂと、他端側に設けられた接地用端子４ｃを有し、また、第２の端子５は、互いに隣り合わせに設けられた入、出力用端子５ａ、５ｂと、この入、出力用端子５ａ、５ｂの外側に設けられた２つの接地用端子５ｃと、この２つの接地用端子５ｃ間を繋ぐ接続導電体１０を有する。
【００２６】
第１の表面弾性波フィルタ１１は、特に図４に示すように、平板状の第１の圧電基板１２と、この第１の圧電基板１２の一面側に形成された２つで対をなす複数対（３対）の第１の櫛歯電極１３ａ、１３ｂ、１３ｃと、これ等の第１の櫛歯電極１３ａ、１３ｂ、１３ｃに接続された第１の電極部１４ａ、１４ｂ、１４ｃ、１４ｄと、第１の櫛歯電極１３ａ、１３ｂ、１３ｃのそれぞれの両側に隣接した状態で設けられた導体からなる梯子型の反射器１５とから構成されている。
【００２７】
また、第１の櫛歯電極１３ａ、１３ｂ、１３ｃは、一列状態に並設されて、隣り合う同士が接続されており、一端側に位置する第１の電極部１４ａが接地電極部、第１の櫛歯電極１３ａ、１３ｂ間を繋ぐ第１の電極部１４ｂが入力電極部、第１の櫛歯電極１３ｂ、１３ｃ間を繋ぐ第１の電極部１４ｃが出力電極部、更に、他端側に位置する第１の電極部１４ｄがもう一つの接地電極部となっている。
【００２８】
第２の表面弾性波フィルタ１６は、特に図４に示すように、平板状の第２の圧電基板１７と、この第２の圧電基板１７の一面側に形成された２つで対をなす複数対（３対）の第２の櫛歯電極１８ａ、１８ｂ、１８ｃと、これ等の第２の櫛歯電極１８ａ、１８ｂ、１８ｃに接続された第２の電極部１９ａ、１９ｂ、１９ｃ、１９ｄと、第２の櫛歯電極１８ａ、１８ｂ、１８ｃのそれぞれの両側に隣接した状態で設けられた導体からなる梯子型の反射器２０とから構成されている。
【００２９】
また、第２の櫛歯電極１８ａ、１８ｂ、１８ｃは、一列状態に並設されて、隣り合う同士が接続されており、一端側に位置する第２の電極部１９ａが接地電極部、第２の櫛歯電極１８ａ、１８ｂ間を繋ぐ第２の電極部１９ｂが入力電極部、第２の櫛歯電極１８ｂ、１８ｃ間を繋ぐ第２の電極部１９ｃが出力電極部、更に、他端側に位置する第２の電極部１９ｄがもう一つの接地電極部となっている。
更に、第２の圧電基板１７には、図２に示すように、第２の櫛歯電極１８ａ、１８ｂ、１８ｃが設けられた一面側と反対側の背面の中央部に中継電極部２１が設けられている。
【００３０】
上記のような構成を有する第１の表面弾性波フィルタ１１は、第１の櫛歯電極１３ａ、１３ｂ、１３ｃを上にした状態でケース２内に挿入され、第１の櫛歯電極１３ａ、１３ｂ、１３ｃが形成されていない第１の圧電基板１２の背面が底壁２ａに接着剤２２によって固着される。
この時、第１の電極部１４ａ、１４ｂ、１４ｃ、１４ｄは、第１の端子５と同等の高になっている。
【００３１】
また、上記のような構成を有する第２の表面弾性波フィルタ１６は、第２の櫛歯電極１８ａ、１８ｂ、１８ｃを下にし、第１の表面弾性波フィルタ１１に隣接した状態でケース２内に挿入され、第２の電極部１９ａ、１９ｂ、１９ｃ、１９ｄが底壁２ａに設けられた第２の端子５の入力用端子５ａ、出力用端子５ｂ、及び接地用端子５ｃにバンプ２３によって接続される。
この時、第２の櫛歯電極１８ａ、１８ｂ、１８ｃは、底壁２ａとの間に振動空間が設けられると共に、第２の圧電基板１７に設けられた中継電極部２１は、ケース２の開口部２ｄ側に位置した状態となっている。
【００３２】
そして、ケース２内に収納された第１の表面弾性波フィルタ１１は、入力電極部である第１の電極部１４ｂが入力用端子４ａにワイヤ２４によるボンディングによって接続され、また、出力電極部である第１の電極部１４ｃが出力用端子４ｂにワイヤ２４によるボンディングによって接続され、更に、接地電極部である第１の電極部１４ａは、ワイヤ２４によるボンディングによって中継電極部２１に接続され、この中継電極部２１からもう一つの接地電極部である第１の電極部１４ｄにワイヤ２４によるボンディングによって接続され、この第１の電極部１４ｄが接地用端子４ｃにワイヤ２４によるボンディングによって接続される。
即ち、接地電極部である第１の電極部１４ａは、中継電極部２１ともう一つの第１の電極部１４ｄを介して接地用端子４ｃにワイヤ２４によって接続された状態となっている。
【００３３】
このような構成によって本発明の第１実施例のアンテナ共用器が形成されており、図５はアンテナ共用器の第１実施例における第１の表面弾性波フィルタ１１の等価回路図を示し、第１の表面弾性波フィルタ１１は、梯子型のフィルタで形成され、入力用端子４ａと出力用端子４ｂとの間に第１の櫛歯電極１３ｂを設けてなる並列腕と、入力用端子４ａと第１の櫛歯電極１３ｂの間に第１の櫛歯電極１３ａ、及び第１の櫛歯電極１３ｂと出力用端子４ｂの間に第１の櫛歯電極１３ｃを接続してなる直列腕とで構成されている。
【００３４】
そして、入力用端子４ａと第１の櫛歯電極１３ｂとの間には、ワイヤ２４からなるインダクタＬ１が、出力用端子４ｂと第１の櫛歯電極１３ｂとの間には、ワイヤ２４からなるインダクタＬ２が、第１の櫛歯電極１３ａと中継電極部２１との間には、ワイヤ２４からなるインダクタＬ３が、中継電極部２１と第１の櫛歯電極１３ｃとの間には、ワイヤ２４からなるインダクタＬ４が、更に、第１の櫛歯電極１３ｃと接地用端子４ｃとの間には、ワイヤ２４からなるインダクタＬ５が存在し、接地電極部側におけるインダクタ成分が入、出電極部側よりも大きくなっている。
【００３５】
なお、ここでは図示しないが、第２の表面弾性波フィルタ１６は、第１の表面弾性波フィルタ１１よりもインダクタ成分が小さい梯子型のフィルタで形成されている。
【００３６】
このような本発明のアンテナ共用器は、第１，第２の表面弾性波フィルタ１１，１６が互いに重ならない隣接した通過帯域に使用され、第１の表面弾性波フィルタ１１の通過帯域が第２の表面弾性波フィルタ１６の通過帯域よりも低い周波数に使用されて、第１の表面弾性波フィルタ１１が送信用に使用されると共に、第２の表面弾性波フィルタ１６が受信用に使用されるようになっている。
【００３７】
また、図６〜図９は本発明のアンテナ共用器の第２実施例を示し、この第２実施例について説明すると、第１，第２の表面弾性波フィルタ１１，１６は、２対の第１，第２の櫛歯電極１３ａ、１３ｂ、１９ａ、１９ｂが形成されて、接地電極部である第１の電極部１４ａは、ワイヤ２４によるボンディングによって中継電極部２１に接続されると共に、この中継電極部２１が接地用端子４ｃにワイヤ２４によるボンディングによって接続されて、接地電極部である第１の電極部１４ａは、中継電極部２１を介して接地用端子４ｃにワイヤ２４によって接続された状態となっている。
その他の構成は、上記第１実施例と同様の構成を有し、同一部品に同一番号を付し、ここではその説明を省略する。
【００３８】
このような構成によって本発明の第２実施例のアンテナ共用器が形成されており、図９はアンテナ共用器の第２実施例における第１の表面弾性波フィルタ１１の等価回路図を示し、第１の表面弾性波フィルタ１１は、Ｌ型のフィルタで形成され、入力用端子４ａと出力用端子４ｂとの間に第１の櫛歯電極１３ｂを設けてなる並列腕と、入力用端子４ａと第１の櫛歯電極１３ｂの間に第１の櫛歯電極１３ａを接続してなる直列腕とで構成されている。
【００３９】
そして、入力用端子４ａと第１の櫛歯電極１３ｂとの間には、ワイヤ２４からなるインダクタＬ１が、出力用端子４ｂと第１の櫛歯電極１３ｂとの間には、ワイヤ２４からなるインダクタＬ２が、第１の櫛歯電極１３ａと中継電極部２１との間には、ワイヤ２４からなるインダクタＬ３が、更に、中継電極部２１と接地用端子４ｃとの間には、ワイヤ２４からなるインダクタＬ４が存在し、接地電極部側におけるインダクタ成分が入、出電極部側よりも大きくなっている。
【００４０】
なお、ここでは図示しないが、第２の表面弾性波フィルタ１６は、第１の表面弾性波フィルタ１１よりもインダクタ成分が小さいＬ型のフィルタで形成されている。
【００４１】
このような本発明の第２実施例のアンテナ共用器においても、第１，第２の表面弾性波フィルタ１１，１６が互いに重ならない隣接した通過帯域に使用され、第１の表面弾性波フィルタ１１の通過帯域が第２の表面弾性波フィルタ１６の通過帯域よりも低い周波数に使用されて、第１の表面弾性波フィルタ１１が送信用に使用されると共に、第２の表面弾性波フィルタ１６が受信用に使用されるようになっている。
【図面の簡単な説明】
【００４２】
【図１】本発明のアンテナ共用器の第１実施例に係る要部断面図。
【図２】本発明のアンテナ共用器の第１実施例に係り、蓋体を取り去った状態の平面図。
【図３】本発明のアンテナ共用器の第１実施例に係るケースの平面図。
【図４】本発明のアンテナ共用器の第１実施例に係る表面弾性波フィルタの平面図。
【図５】本発明のアンテナ共用器の第１実施例に係る第１の表面弾性波フィルタの等価回路図。
【図６】本発明のアンテナ共用器の第２実施例に係り、蓋体を取り去った状態の平面図。
【図７】本発明のアンテナ共用器の第２実施例に係るケースの平面図。
【図８】本発明のアンテナ共用器の第２実施例に係る表面弾性波フィルタの平面図。
【図９】本発明のアンテナ共用器の第２実施例に係る第１の表面弾性波フィルタの等価回路図。
【図１０】従来の表面弾性波ディバイスを示す平面図。
【図１１】従来の表面弾性波ディバイスを示す平面図。
【符号の説明】
【００４３】
１：パッケージ
２：ケース
２ａ：底壁
２ｂ：側壁
２ｃ：収納部
２ｄ：開口部
２ｅ：凸部
２ｆ：上面部
３：蓋体
４：第１の端子
４ａ：入力用端子
４ｂ：出力用端子
４ｃ：接地用端子
５：第２の端子
５ａ：入力用端子
５ｂ：出力用端子
５ｃ：接地用端子
６：第１の引出端子
７：第２の引出端子
８：第１の接続導体
９：第２の接続導体
１０：接続導電体
１１：第１の表面弾性波フィルタ
１２：第１の圧電基板
１３ａ〜１３ｃ：第１の櫛歯電極
１４ａ：第１の電極部（接地電極部）
１４ｂ：第１の電極部（入力電極部）
１４ｃ：第１の電極部（出力電極部）
１４ｄ：第１の電極部（接地電極部）
１５：反射器
１６：第２の表面弾性波フィルタ
１７：第２の圧電基板
１８ａ、１８ｂ：第２の櫛歯電極
１９ａ：第２の電極部（接地電極部）
１９ｂ：第２の電極部（入力電極部）
１９ｃ：第２の電極部（出力電極部）
２０：反射器
２１：中継電極部
２２：接着剤
２３：バンプ
２４：ワイヤ
Ｌ１〜Ｌ５：インダクタ
【図１】
2006270570.tif 000003
【図２】
2006270570.tif 000004
【図３】
2006270570.tif 000005
【図４】
2006270570.tif 000006
【図５】
2006270570.tif 000007
【図６】
2006270570.tif 000008
【図７】
2006270570.tif 000009
【図８】
2006270570.tif 000010
【図９】
2006270570.tif 000011
【図１０】
2006270570.tif 000012
【図１１】
2006270570.tif 000013